(57)【要約】【課題】ユーザに与えるリラクゼーション効果を高めることができる美容装置を提供する。【解決手段】美容装置１は、ハンドル１０と、ハンドル１０に支持され肌に接触する一対のボール１３Ａ、１３Ｂと、ユーザの操作に応じて一対のボール１３Ａ、１３Ｂ同士の間隔を変更するボール間隔調節部１５と、を備える。ハンドル１０は、アーム１２Ａ、１２Ｂを有する。ボール間隔調節部１５は、ユーザにより操作される円盤状の操作部１５２と、操作部に端部が固定された２つのボール螺子と、２つのボール螺子のうちの一方に螺合し、アーム１２Ａに固定されたナット保持部に保持されたナットと、２つのボール螺子のうちの他方に螺合し、アーム１２Ｂに固定されたナット保持部に保持されたナットと、を有する。【選択図】図１
2020075187.tif 000002
【特許請求の範囲】
【請求項１】
ハンドルと、
前記ハンドルに互いに交差する２つの回転軸それぞれの周りに回転自在に支持され肌に接触する２つの接触部と、
ユーザの操作に応じて前記２つの接触部同士の間隔を変更することにより、前記２つの回転軸のなす角度を変更する接触部間隔変更部と、を備え、
前記ハンドルは、
長尺であり、長手方向の一端部で前記２つの接触部のうちの一方を支持する第１アームと、
長尺であり、長手方向の一端部で前記２つの接触部のうちの他方を支持し、他端部が前記第１アームの他端部に軸部を介して連結され、前記第１アームに対して前記軸部を中心として旋回自在である第２アームと、を有し、
前記接触部間隔変更部は、
ユーザにより操作される円盤状の操作部と、
長尺であり前記操作部の厚さ方向における一方の第１主面の中央部に端部が固定された第１ボール螺子と、
長尺であり前記操作部の厚さ方向における他方の第２主面の中央部に端部が固定され、
前記第１ボール螺子の長手方向に平行な一方向から見たときに、巻方向が前記第１ボール螺子の巻方向とは逆向きである第２ボール螺子と、
前記第１ボール螺子に螺合し、前記第１アームに固定された第１保持部に保持された第１ナットと、
前記第２ボール螺子に螺合し、前記第２アームに固定された第２保持部に保持された第２ナットと、を有する、
美容装置。
【請求項２】
前記ハンドルは、
箱状であり前記第１アームの一部と前記第２アームの一部とが内側に配置されるハンドル本体を更に有し、
一端部が前記第１アームおよび前記第２アームにおける前記ハンドル本体の外側に配置される部分に固定され、他端部が前記ハンドル本体の外壁に対向する位置まで延出した鍔部を更に備える、
請求項１に記載の美容装置。
【請求項３】
前記ハンドルは、前記２つの接触部それぞれを支持する支持軸を有し、
前記２つの接触部は、それぞれ窪み部を有し、
前記２つの接触部それぞれの窪み部の内側において前記窪み部の内側に配置される前記支持軸を囲繞した状態で固定され、前記支持軸の長手方向における複数箇所で軸受を介して前記支持軸に連結された連結部材を更に備える、
請求項１または２に記載の美容装置。
【請求項４】
前記２つの接触部のうちの少なくとも１つは、球面部分を有し、前記球面部分の表面に螺旋状に延伸する溝が形成されている、
請求項１から３のいずれか１項に記載の美容装置。
【請求項５】
前記２つの接触部のうちの少なくとも１つは、回転楕円体面部分を有し、前記回転楕円体面部分の表面に螺旋状に延伸する溝が形成されている、
請求項１から３のいずれか１項に記載の美容装置。
【請求項６】
前記２つの接触部のうちの少なくとも１つは、球面部分を有し、前記球面部分の表面に複数の円環状の溝が形成されている、
請求項１から３のいずれか１項に記載の美容装置。
【請求項７】
前記２つの接触部のうちの少なくとも１つは、回転楕円体面部分を有し、前記回転楕円体面部分の表面に複数の円環状の溝が形成されている、
請求項１から３のいずれか１項に記載の美容装置。
【請求項８】
前記２つの接触部のうち、前記溝が形成された接触部は、１の回転軸を中心に回転自在であり、
前記回転軸は、前記溝の中心軸に対して傾斜している、
請求項４から７のいずれか１項に記載の美容装置。
【請求項９】
前記２つの接触部は、等方性高密度黒鉛または炭素粉末と樹脂とを含む複合材料から形成されている、
請求項１から８のいずれか１項に記載の美容装置。
【発明の詳細な説明】
【技術分野】
【０００１】
本発明は、美容装置に関する。
【背景技術】
【０００２】
ハンドルと当該ハンドルの一端に設けられた一対のボールとを備え、一対のボールの回転軸が互いに交差している美容器が提案されている（例えば特許文献１）。この美容器は、一対のボールを肌に押し当てた状態で肌の表面上を往復されることにより、肌の押圧と摘まみ上げを繰り返し行う。これにより、肌のマッサージ効果がなされ、肌の血行が促進される。
【先行技術文献】
【特許文献】
【０００３】
【特許文献１】特開２０１３−１０３０８６号公報
【発明の概要】
【発明が解決しようとする課題】
【０００４】
ところで、ユーザの嗜好する肌のマッサージ方法は多様であり、各マッサージ方法において一対のボール同士の最適な間隔が互いに異なる。特許文献１に記載された美容器では、一対のボール同士の間隔を変更することができないため、多様な肌のマッサージ方法それぞれにおいて使用された場合、ユーザに不快感を与える虞がある。
【０００５】
本発明は、上記事由に鑑みてなされたものであり、ユーザに与えるリラクゼーション効果を高めることができる美容装置を提供することを目的とする。
【課題を解決するための手段】
【０００６】
上記目的を達成するために、本発明に係る美容装置は、
ハンドルと、
前記ハンドルに互いに交差する２つの回転軸それぞれの周りに回転自在に支持され肌に接触する２つの接触部と、
ユーザの操作に応じて前記２つの接触部同士の間隔を変更することにより、前記２つの回転軸のなす角度を変更する接触部間隔変更部と、を備え、
前記ハンドルは、
長尺であり、長手方向の一端部で前記２つの接触部のうちの一方を支持する第１アームと、
長尺であり、長手方向の一端部で前記２つの接触部のうちの他方を支持し、他端部が前記第１アームの他端部に軸部を介して連結され、前記第１アームに対して前記軸部を中心として旋回自在である第２アームと、を有し、
前記接触部間隔変更部は、
ユーザにより操作される円盤状の操作部と、
長尺であり前記操作部の厚さ方向における一方の第１主面の中央部に端部が固定された第１ボール螺子と、
長尺であり前記操作部の厚さ方向における他方の第２主面の中央部に端部が固定され、
前記第１ボール螺子の長手方向に平行な一方向から見たときに、巻方向が前記第１ボール螺子の巻方向とは逆向きである第２ボール螺子と、
前記第１ボール螺子に螺合し、前記第１アームに固定された第１保持部に保持された第１ナットと、
前記第２ボール螺子に螺合し、前記第２アームに固定された第２保持部に保持された第２ナットと、を有する。
【発明の効果】
【０００７】
本発明によれば、ユーザによる操作に応じて２つの接触部同士の間隔を変更する接触部間隔変更部を備える。そして、ハンドルは、長尺であり、長手方向の一端部で２つの接触部のうちの一方を支持する第１アームと、長尺であり、長手方向の一端部で２つの接触部のうちの他方を支持し、他端部が第１アームの他端部に軸部を介して連結され、第１アームに対して軸部を中心として旋回自在である第２アームと、を有する。また、接触部間隔変更部は、ユーザにより操作される円盤状の操作部と、長尺であり操作部の厚さ方向における一方の第１主面の中央部に端部が固定された第１ボール螺子と、長尺であり操作部の厚さ方向における他方の第２主面の中央部に端部が固定され、第１ボール螺子の長手方向に平行な一方向から見たときに、巻方向が第１ボール螺子の巻方向とは逆向きである第２ボール螺子と、第１ボール螺子に螺合し、第１アームに固定された第１保持部に保持された第１ナットと、第２ボール螺子に螺合し、第２アームに固定された第２保持部に保持された第２ナットと、を有する。これにより、ユーザは、接触部間隔変更部を操作して、２つの接触部同士の間隔を、ユーザの嗜好する肌のマッサージ方法に適した間隔に変更して肌のマッサージを行うことができる。従って、ユーザの嗜好する多様な肌のマッサージ方法それぞれにおいて、ユーザに与えるリラクゼーション効果を高めることができる。
【図面の簡単な説明】
【０００８】
【図１】本発明の実施の形態１に係る美容装置の斜視図である。
【図２】実施の形態１に係る美容装置の側面図である。
【図３】（Ａ）は実施の形態１に係るボールがアームの先端部に連結部材および軸受を介して連結されている様子を示す断面図であり、（Ｂ）は実施の形態１に係る接続部材の側面図である。
【図４】実施の形態１に係るボールを示し、（Ａ）は斜視図であり、（Ｂ）は側面図であり、（Ｃ）は窪み図側から見た平面図である。
【図５】（Ａ）は、実施の形態１に係るアームおよびボール間隔調節部を示す図であり、（Ｂ）は実施の形態１に係るアームおよびボール間隔調節部の一部の拡大図である。
【図６】実施の形態１に係るボール間隔を調節する動作を説明するための図である。
【図７】実施の形態１に係る振動装置を示す図である。
【図８】本発明の実施の形態２に係る美容装置の斜視図である。
【図９】実施の形態２に係る美容装置の側面図である。
【図１０】実施の形態２に係るロック部の断面図を示し、（Ａ）はアームの扁平部を係止していない状態を示す図であり、（Ｂ）はアームの扁平部を係止した状態を示す図である。
【図１１】変形例に係るボールを示し、（Ａ）は斜視図であり、（Ｂ）は側面図であり、（Ｃ）は窪み図側から見た平面図である。
【図１２】変形例に係るボールを示し、（Ａ）は側面図であり、（Ｂ）は他の方向から見た側面図であり、（Ｃ）は窪み図側から見た平面図である。
【図１３】変形例に係るボールを示し、（Ａ）は側面図であり、（Ｂ）は他の方向から見た側面図であり、（Ｃ）は窪み図側から見た平面図である。
【図１４】変形例に係るボールを示し、（Ａ）は側面図であり、（Ｂ）は平面図であり、（Ｃ）は窪み図側から見た平面図である。
【図１５】変形例に係る美容装置を示し、（Ａ）は斜視図であり、（Ｂ）は正面図であり、（Ｃ）は側面図である。
【発明を実施するための形態】
【０００９】
（実施の形態１）
以下、本発明の実施の形態について図面を参照しながら説明する。本実施の形態に係る美容装置は、肌にボール（接触部）を押し当てた状態で肌の表面上を往復させることにより、肌の押圧と摘まみ上げを繰り返し行う。これにより、肌のマッサージを行うことができるというものである。
【００１０】
図１に示すように、本実施の形態に係る美容装置１は、ハンドル１０と、一対のボール１３Ａ、１３Ｂと、振動装置１１３Ａ、１１３Ｂと、を備える。また、美容装置１は、図２に示すように、電池（電源）１１１と、電池１１１からの電力供給を受けて振動装置１１３Ａ、１１３Ｂを駆動する駆動回路基板１１２と、を備える。更に、美容装置１は、２つのボール１３Ａ、１３Ｂの間の間隔を調節するために使用されるボール間隔調節部（接触部間隔変更部）１５を備える。
【００１１】
ハンドル１０は、ハンドル本体１１と、一対のボール１３Ａ、１３Ｂそれぞれを支持するアーム１２Ａ、１２Ｂと、を有する。ハンドル本体１１は、合成樹脂、金属から形成されている。ハンドル本体１１の中央部には、細長の開口部１１ａが設けられている。また、ハンドル本体１１の一部には、振動装置１１３Ａ、１１３Ｂをオンオフさせるための電源スイッチ１４が設けられている。更に、ハンドル本体１１には、ユーザが美容装置１を使用する際に把持される把持部１１ｂが設けられている。把持部１１ｂは、例えばエラストマのような弾性材料から形成されている。
【００１２】
アーム（第１アーム）１２Ａは、長尺であり、長手方向の一端部でボール１３Ａを支持する。アーム（第２アーム１２Ｂ）は、長尺であり、長手方向の一端部でボール１３Ｂを支持し、他端部がアーム１２Ａの他端部に軸部１２２を介して連結されている。これにより、アーム１２Ｂは、アーム１２Ａに対して軸部１２２を中心として旋回自在となっている。アーム１２Ａ、１２Ｂは、それぞれ、図３（Ａ）に示すように、ボール１３Ａ、１３Ｂを支持するシャフト（支持軸）１２３を有する。シャフト１２３は、例えばステンレスのような金属から長尺の棒状に形成されており、基端部がアーム１２Ａ（１２Ｂ）の先端部に埋設されている。シャフト１２３は、ボール１３Ａ、１３Ｂの窪み部１３２Ａ、１３２Ｂの内側に配置される。
【００１３】
ボール１３Ａ、１３Ｂは、等方性高密度黒鉛から形成され、球面部分を有する。ボール１３Ａ、１３Ｂは、例えば文献：特開２０１２−１００７７７号公報に記載の「炭素成形体」の製造方法と同様の製造方法により作製される。ボール１３Ａ、１３Ｂは、図１の矢印ＡＲ１１、ＡＲ１２に示すように、それぞれ回転軸Ｊ１１、Ｊ１２を中心として回転自在である。ボール１３Ａは、図４（Ａ）乃至（Ｃ）に示すように、平面視円形の窪み部１３２Ａを有する。また、ボール１３Ａの球面部分の表面には、螺旋状に延伸する溝１３５が形成されている。ボール１３Ａの半径が例えば２０ｍｍ程度であるとする。この場合、図４（Ｂ）に示す溝１３５の幅Ｗ１１は、例えば０．５ｍｍ乃至１．５ｍｍに設定されてもよい。また、図４（Ｂ）に示す溝１３５の延伸方向に直交する方向で隣り合う溝１３５同士の間隔Ｗ１２は、０．５ｍｍ乃至２．５ｍｍに設定されてもよい。溝の中心軸Ｊ１３５は、窪み部１３２Ａの中心軸Ｊ１３２に一致している。
【００１４】
また、図３（Ａ）に示すように、ボール１３Ａ（１３Ｂ）それぞれの窪み部１３２Ａ、１３２Ｂの内側には、連結部材１３１が、シャフト１２３を囲繞した状態で固定されている。この連結部材１３１は、シャフト１２３の長手方向における２箇所で軸受１３３、１３４を介してシャフト１２３に連結されている。これにより、連結部材１３１は、シャフト１２３に対してシャフト１２３の中心軸と一致する回転軸Ｊ１１（Ｊ１２）を中心として回転自在となっている。連結部材１３１は、例えばポリプロピレンのような弾性を有する合成樹脂から形成されている。また、アーム１２Ａ（１２Ｂ）と連結部材１３１との間には、合成樹脂から形成されたワッシャ１２４が介在している。更に、シャフト１２３の先端部における軸受１３３に隣接する部位には、溝１２３ａが形成されており、その溝１２３ａには金属製のワッシャ１２５が嵌め込まれている。
【００１５】
連結部材１３１は、図３（Ｂ）に示すように、円筒状部材を中心軸に沿って２つに分割して得られる形状を有する２つの本体部１３１１と、弾性を有し２つの本体部１３１１を連結する連結片１３１２と、を有する。連結片１３１２は、２つの本体部１３１１がボール１３Ａ（１３Ｂ）の窪み部１３２Ａ（１３２Ｂ）に嵌入された状態で、２つの本体部１３１１における窪み部１３２Ａ（１３２Ｂ）の奥側に位置する部位同士を連結している。また、本体部１３１１の外側面には、先端部が連結片１３１２側に向かって高さが低くなるように傾斜した複数の突条１３１１ａが設けられている。また、２つの本体部１３１１の長手方向において２つの本体部１３１１における連結片１３１２を介して連結される一端部とは反対側の他端部には、本体部１３１１の窪み部１３２Ａ（１３２Ｂ）への侵入を規制するフランジ部１３１１ｄが設けられている。また、本体部１３１１の内側における軸受１３３、１３４に対応する部位には、それぞれ凹部１３１１ｂ、１３１１ｃが設けられている。また、本体部１３１１の側壁における突条１３１１ａが設けられた部位の厚さは、他の部位の厚さに比べて薄くなっている。これにより、本体部１３１１の側壁における突条１３１１ａが設けられた部位は、本体部１３１１の内側へ撓みやすくなっている。
【００１６】
アーム１２Ａ（１２Ｂ）にボール１３Ａ（１３Ｂ）を取り付ける際、まず、シャフト１２３の２箇所それぞれに軸受１３３、１３４を取り付けてから、軸受１３３、１３４を覆うように連結部材１３１をシャフト１２３に取り付ける。そして、シャフト１２３に軸受１３３、１３４および連結部材１３１を取り付けた状態で、シャフト１２３、軸受１３３、１３４および連結部材１３１を、ボール１３Ａ（１３Ｂ）の窪み部１３２Ａ（１３２Ｂ）の内側へ押し込む。このとき、２つの本体部１３１１が互いに近づく方向へ押圧されて連結片１３１２が撓むとともに、２つの本体部１３１１の側壁が突条１３１１ａを介して内側へ撓む。そして、連結片１３１２および２つの本体部１３１１の側壁の復元力により、連結部材１３１が窪み部１３２Ａ（１３２Ｂ）の内側に固定される。また、複数の突条１３１１ａの先端部がそれぞれ連結片１３１２側に向かって高さが低くなるように傾斜していることにより、窪み部１３２Ａ（１３２Ｂ）に圧入された連結部材１３１が、窪み部１３２Ａ（１３２Ｂ）から離脱しにくくなっている。
【００１７】
ボール間隔調節部１５は、ユーザの操作に応じて一対のボール１３Ａ、１３Ｂ同士の間隔を変更する。ボール間隔調節部１５は、図５（Ａ）および（Ｂ）に示すように、２つのボール螺子１５１ａ、１５１ｂと、操作部１５２と、ナット１２１２Ａ、１２１２Ｂと、ナット保持部１２１１Ａ、１２１１Ｂと、を有する。操作部１５２は、円盤状であり、２つのボール螺子１５１ａ、１５１ｂの間に介在している。この操作部１５２は、図１に示すように、ハンドル本体１１の中央部に設けられた開口部１１ａからハンドル本体１１の外に露出しており、ユーザにより指で回す形で操作される。図５（Ａ）および（Ｂ）に示すように、ボール螺子（第１ボール螺子）１５１ａは、長尺であり操作部１５２の厚さ方向における一方（図５（Ａ）および（Ｂ）の左側）の主面（第１主面）１５２ａの中央部に端部が固定されている。また、ボール螺子（第２ボール螺子）１５１ｂは、長尺であり操作部１５２の厚さ方向における他方（図５（Ａ）および（Ｂ）の右側）の主面（第２主面）１５２ｂの中央部に端部が固定されている。また、ボール螺子１５１ａの長手方向に平行な一方向（図５（Ｂ）の矢印ＡＲ３参照）から見たときに、ボール螺子１５１ｂの巻方向は、ボール螺子１５１ａの巻方向とは逆向きである。ナット１２１２Ａは、図５（Ａ）に示すように、ボール螺子１５１ａに螺合し、アーム１２Ａに固定されたナット保持部（第１保持部）１２１１Ａに保持されている第１ナットである。ナット１２１２Ｂは、ボール螺子１５１ｂに螺合し、アーム１２Ｂに固定されたナット保持部（第２保持部）１２１１Ｂに保持されている第２ナットである。ナット１２１２Ａ、１２１２Ｂは、平面視略円形であり、径方向に貫通する螺子孔（図示せず）を有する。２つのボール螺子１５１ａ、１５１ｂは、それぞれナット１２１２Ａ、１２１２Ｂの螺子孔に螺合している。ナット保持部１２１１Ａ、１２１１Ｂは、それぞれ、ナット１２１２Ａ、１２１２Ｂを、軸部１２２と平行な回転軸を中心に回転自在に支持する。ここで、例えば図６に示すように、ユーザが指で操作部１５２を矢印ＡＲ２１で示す方向へ回すと、２つのボール１３Ａ、１３Ｂ同士の間隔が広がっていく（図６の矢印ＡＲ３１参照）。一方、ユーザが操作部１５２を矢印ＡＲ２２で示す逆方向へ回すと、２つのボール１３Ａ、１３Ｂ同士の間隔が狭くなっていく（図６の矢印ＡＲ３２参照）。このように、ユーザは、操作部１５２を回すことにより、２つのボール１３Ａ、１３Ｂ同士の間隔を自由に調節することができる。
【００１８】
振動装置１１３Ｂは、図７に示すように、固定部材１６を介してアーム１２Ｂに固定されている。振動装置１１３Ｂは、モータ１１３１と、偏心錘１１３３と、ケーシング１１３４と、を備える。偏心錘１１３３は、モータ１１３１のシャフト１１３１ｂに固定されている。モータ１１３１の本体部１１３１ａは、ケーシング１１３４に固定されている。ケーシング１１３４は、固定部材１６を介してアーム１２Ｂに固定されている。固定部材１６は、エラストマに比べて剛性の高い樹脂材料等から形成されている。モータ１１３１が動作すると、シャフト１１３１ｂに固定された偏心錘１１３３が回転して振動が発生する。この振動装置１１３Ｂで発生した振動は、固定部材１６を介してアーム１２Ｂに伝達するとともにボール１３Ｂに伝達してボール１３Ｂが振動する。なお、振動装置１１３Ａも振動装置１１３Ｂと同様の構造を有し、アーム１２Ａに固定されている。そして、振動装置１１３Ａで発生した振動は、アーム１２Ａに伝達するとともにボール１３Ａに伝達してボール１３Ａが振動する。なお、軸部１２２は、防振部材１７を介してハンドル本体１１に固定されている。防振部材１７は、例えばエラストマから形成されている。これにより、美容装置１の使用時において、ハンドル本体１１の振動によりユーザへ与える不快感を低減することができる。
【００１９】
駆動回路基板１１２は、振動装置１１３Ａ、１１３Ｂを駆動する振動装置駆動回路１１２ａを有する。振動装置駆動回路１１２ａは、電力供給線Ｌ１１を介して振動装置１１３Ａに接続され、電力供給線Ｌ１２を介して振動装置１１３Ｂに接続されている。振動装置駆動回路１１２ａは、モータ駆動回路を含む。電源スイッチ１４は、電池１１１から振動装置駆動回路１１２ａへの電力供給路に介挿されている。電池１１１は、例えばリチウムイオン電池である。
【００２０】
次に、本実施の形態に係る美容装置１の使用方法について説明する。まず、美容装置１電源スイッチ１４を押下すると、振動装置１１３Ａ、１１３Ｂが作動する。これにより、ボール１３Ａ、１３Ｂの両方が振動する。そして、ボール１３Ａ、１３Ｂを肌に押し当てた状態で美容装置を図１の矢印ＡＲ２で示す方向へ往復させる。これにより、ボール１３Ａ、１３Ｂから放射される遠赤外線により肌を暖めるとともに肌に振動を与えながら、肌の押圧と摘まみ上げとを繰り返し行うことができる。そして、ボール間隔調節部１５により、ボール１３Ａ、１３Ｂの間隔を、ユーザにとって最も好ましい間隔に設定することができる。
【００２１】
以上説明したように、本実施の形態に係る美容装置１によれば、ユーザによる操作に応じて複数の接触部同士の間隔を変更するボール間隔調節部１５を備える。これにより、ユーザは、ボール間隔調節部１５を操作することにより、一対のボール１３Ａ、１３Ｂ同士の間隔を、ユーザの嗜好する肌のマッサージ方法に適した間隔に変更して肌のマッサージを行うことができる。従って、ユーザの嗜好する多様な肌のマッサージ方法それぞれにおいて、ユーザに与えるリラクゼーション効果を高めることができる。
【００２２】
ところで、ボールとして、Ｎｉから形成された球状部材の表面にＰｔ簿膜を形成したものを採用した美容装置が提供されつつある。しかしながら、この美容装置の場合、ユーザが使用を継続しているうちにＰｔ簿膜が剥がれてしまいＮｉから形成された球状部材の表面が露出してしまう場合がある。この場合、Ｎｉから形成された球状部材がユーザの肌に直接接触してしまい、肌へ悪影響を及ぼす虞がある。これに対して、本実施の形態では、ボール１３Ａ、１３Ｂが、等方性高密度黒鉛から形成されている。従って、ユーザの肌への影響が少ないという利点がある。更に、ボール１３Ａ、１３Ｂが、等方性高密度黒鉛から形成されていることにより、使用時においてボール１３Ａ、１３Ｂから放射される遠赤外線によりユーザの肌に含まれる繊維芽細胞が活性化し、肌の創傷治癒効果またはアンチエージング効果が得られる可能性がある。
【００２３】
また、本実施の形態に係るボール間隔調節部１５は、操作部１５２と、ボール螺子１５１ａ、１５１ｂと、ナット保持部１２１１Ａ，１２１１Ｂと、ナット１２１２Ａ、１２１２Ｂと、を有する。ここで、ナット保持部１２１１Ａは、アーム１２Ａに固定され、ナット１２１２Ａを保持し、ナット保持部１２１１Ｂ、アーム１２Ｂに固定され、ナット１２１２Ｂを保持する。また、ボール螺子１５１ｂは、ボール螺子１５１ａの長手方向に平行な一方向ＡＲ３から見たときに、巻方向がボール螺子１５１ａの巻方向とは逆向きである。これにより、ユーザが、操作部１５２を回転させることにより、ナット１２１２Ａ、１２１２Ｂが、互いに離れる方向ＡＲ３１または互いに近づく方向ＡＲ３２へ移動する。そして、アーム１２Ａ、１２Ｂにおけるナット保持部１２１１Ａ、１２１１Ｂが固定された部分同士の間隔が変化し、それに伴い、一対のボール１３Ａ、１３Ｂ同士の間隔が変化する。従って、ユーザは、操作部１５２を回転させるだけで簡単に一対のボール１３Ａ、１３Ｂ同士の間隔を変化させることができるので、ユーザの利便性が高いという利点がある。
【００２４】
（実施の形態２）
本実施の形態に係る美容装置は、２つのボールと、２つのボールの間の間隔を調節するボール間隔調節部と、を備えつつ、実施の形態１に係る美容装置に比べて構造が簡素化されたものである。
【００２５】
図８に示すように、本実施の形態に係る美容装置２は、一対のボール２０１３Ａ、２０１３Ｂと、ハンドル２０１０と、を備える。ハンドル２０１０は、一対のボール１３Ａ、１３Ｂそれぞれを支持するアーム２１２Ａ、２１２Ｂと、アーム２１２Ａ、２１２Ｂ同士を連結する連結部２１１と、を有する。また、ハンドル２０１０は、アーム２１２Ａをアーム２１２Ｂに固定した状態（第１状態）と、アーム２１２Ａの長手方向とアーム２１２Ｂの長手方向とのなす角度θ０の変更が可能な状態（第２状態）と、を切り替えるためのロック部（切替部）２０１５を有する。
【００２６】
ボール２０１３Ａ、２０１３Ｂは、実施の形態１で説明したボール１３Ａ、１３Ｂと同様に、等方性高密度黒鉛から形成され、球面部分を有する。ボール２０１３Ａ、２０１３Ｂは、図８の矢印ＡＲ２１１、ＡＲ２１２に示すように、それぞれ回転軸Ｊ２１１、Ｊ２１２を中心に回転自在である。また、ボール２０１３Ａ、２０１３Ｂは、実施の形態１で説明したボール１３Ａ、１３Ｂと同様に、窪み部（図示せず）を有する。この窪み部の内側には、例えば実施の形態１で説明した連結部材が圧入される。
【００２７】
アーム（第３アーム）２１２Ａは、長尺であり、長手方向の一端部でボール２０１３Ａを支持する。アーム２１２Ａは、図８に示すように、例えばステンレスのような金属から形成された管状であり、先端部にボール２０１３Ａを回転自在に支持するボール連結部２１２２Ａが取り付けられている。ボール連結部２１２２Ａは、例えば実施の形態１で説明したシャフトを有している。そして、ボール２０１３Ａは、その窪み部の内側に圧入された連結部材と連結部材の内側に配置された軸受とを介してシャフトに連結されている。また、アーム２１２Ａには、他の部位に比べて扁平な扁平部２１２１Ａが形成されている。扁平部２１２１Ａは、例えばアーム２１２Ａの基となる管状部材の一部をプレス加工することにより形成される。
【００２８】
アーム（第４アーム）２１２Ｂは、長尺であり、長手方向の一端部でボール２０１３Ｂを支持する。アーム２１２Ｂは、アーム２１２Ａと同様に、例えばステンレスのような金属から形成された管状であり、一端部にボール２０１３Ｂを回転自在に支持するボール連結部２１２２Ｂが取り付けられている。ボール連結部２１２２Ｂは、前述のボール連結部２１２２Ａと同様の構造を有する。また、アーム２１２Ｂには、図９に示すように、そのボール連結部２１２２Ｂが取り付けられる側の端部にまで延在するスリット（挿通部）２１２１Ｂが形成されている。スリット２１２１Ｂは、アーム２１２Ｂの側壁におけるアーム２１２Ｂの中心軸を挟んで対向する２箇所に形成されている。スリット２１２１Ｂには、図９に示すように、アーム２１２Ａの扁平部２１２１Ａが挿通される。ここで、アーム２１２Ａの扁平部２１２１Ａは、図８に示すように、アーム２１２Ａの長手方向とアーム２１２Ｂの長手方向とのなす角度θ０が予め設定された角度範囲内の任意の角度となるように、スリット２１２１Ｂに挿通可能である。
【００２９】
連結部２１１は、可撓性を有し、アーム２１２Ａの他端部とアーム２１２Ｂの他端部とを連結する。連結部２１１は、長尺の管状であり、可撓性を有する合成樹脂から形成されている。連結部２１１の長手方向における両端部それぞれには、アーム２１２Ａ、２１２Ｂの内側に圧入されることによりアーム２１２Ａ、２１２Ｂに固定される固定用突出部２１１ａが設けられている。
【００３０】
ロック部２０１５は、スリット２１２１Ｂに挿通されたアーム２１２Ａがアーム２１２Ｂに固定された状態と、アーム２１２Ａの長手方向とアーム２１２Ｂの長手方向とのなす角度θ０の変更が可能な状態と、のいずれかに切り替える。ロック部２０１５は、図１０（Ａ）に示すように、操作部２０１５ａと、アーム２１２Ａの扁平部２１２１Ａを係止するためのフック部２０１５ｂと、を有する。フック部２０１５ｂは、アーム２１２Ｂの側壁に形成されたスリット２１２３Ｂに嵌入されている。アーム２１２Ａの扁平部２１２１Ａがフック部２０１５ｂにより係止されていない状態では、扁平部２１２１Ａがアーム２１２Ｂのスリット２１２１Ｂの長手方向に沿って移動自在である。図１０（Ａ）の矢印ＡＲ４１に示すように、ロック部２０１５をスリット２１２３Ｂの長手方向に沿って移動させると、ロック部２０１５のフック部２０１５ｂにアーム２１２Ａの扁平部２１２１Ａが当接する。そして、更にロック部２０１５を同じ方向へ移動させると、図１０（Ｂ）の矢印ＡＲ４２に示すように、扁平部２１２１Ａがフック部２０１５ｂの傾斜面２０１５ｃに沿ってスリット２１２１Ｂの外周縁に近づく方向へ案内される。そして、扁平部２１２１Ａは、フック部２０１５ｂとスリット２１２１Ｂの外周縁との間で挟持された状態で、アーム２１２Ｂに固定される。
【００３１】
以上説明したように、本実施の形態に係る美容装置２は、実施の形態１に係る美容装置１に比べて簡単な構造としつつ、ユーザがロック部２０１５を操作することにより、一対のボール２０１３Ａ、２０１３Ｂ同士の間隔を変更することができる。従って、実施の形態１と同様に、ユーザの嗜好する多様な肌のマッサージ方法それぞれにおいて、ユーザに与えるリラクゼーション効果を高めつつ、美容装置２の組み立て工程の簡素化を図ることができる。
【００３２】
（変形例）
以上、本発明の各実施の形態について説明したが、本発明は前述の各実施の形態の構成に限定されるものではない。例えば、図１１（Ａ）乃至（Ｃ）に示すように、回転楕円体面部分を有するボール３０１３を備えるものであってもよい。ボール３０１３は、平面視円形の窪み部３１３２を有する。また、ボール３０１３の回転楕円体面部分の表面には、螺旋状に延伸する溝３１３５が形成されている。本構成によれば、美容装置の使用時において、ボール３０１３とユーザの肌との接触面積が増加するので、肌の押圧と摘まみ上げとをより強い力で行うことが可能となる。
【００３３】
また、図１２（Ａ）乃至（Ｃ）に示すような球面部分を有し、球面部分の表面に螺旋状に延伸する溝４１３５が形成されているボール４０１３を備えるものであってもよい。ボール４０１３は、平面視円形の窪み部４１３２を有する。ボール４０１３は、ハンドルに取り付けられた状態で、窪み部４１３２の中心軸Ｊ１３２に一致する回転軸を中心として回転自在である。螺旋状に延伸する溝４１３５の中心軸Ｊ１３５は、窪み部４１３２の中心軸、即ち、ボール４０１３の回転軸Ｊ１３２に対して角度θ１だけ傾斜している。この角度θ１は、例えば０度よりも大きく且つ４０度以下の範囲に設定される。
【００３４】
更に、図１３（Ａ）乃至（Ｃ）に示すような回転楕円体面部分を有し、回転楕円体面部分の表面に複数の円環状の溝５１３５が形成されているボール５０１３を備えるものであってもよい。ボール５０１３は、平面視円形の窪み部５１３２を有する。ボール５０１３は、ハンドルに取り付けられた状態で、窪み部５１３２の中心軸Ｊ１３２に一致する回転軸を中心として回転自在である。複数の円環状の溝５１３５の中心軸Ｊ１３５は、窪み部５１３２の中心軸、即ち、ボール５０１３の回転軸Ｊ１３２に対して角度θ２だけ傾斜している。この角度θ２は、例えば０度よりも大きく且つ４０度以下の範囲に設定される。なお、球面部分を有し、球面部分の表面に複数の円環状の溝が形成されているボールを備えるものであってもよい。また、このようにボール５０１３が、回転楕円体面部分を有することにより、例えば実施の形態１に係るボール１３Ａ、１３Ｂに比べて、使用時におけるボール５０１３とユーザの肌との接触面積が増える。従って、使用時において肌の押圧と摘まみ上げを効率的に行うことができるという利点がある。
【００３５】
また、図１４（Ａ）および（Ｃ）に示すような球面部分を有し、球面部分の表面に窪み部６１３２の中心軸Ｊ１３２の延長方向に延伸する溝（以下、「縦溝」と称する。）６１３５が形成されているボール６０１３を備えるものであってもよい。ボール６０１３は、平面視円形の窪み部６１３２を有する。ボール６０１３は、ハンドルに取り付けられた状態で、窪み部６１３２の中心軸Ｊ１３２に一致する回転軸を中心として回転自在である。
【００３６】
実施の形態では、図１に示すように、ハンドル本体１１と、一対のボール１３Ａ、１３Ｂそれぞれを支持するアーム１２Ａ、１２Ｂと、を有するハンドル１０を備える美容装置１について説明した。但し、これに限らず、例えば図１５（Ａ）乃至（Ｃ）に示す美容装置７のように、ハンドル７０１０が、ハンドル本体７０１１と、アーム７０１２Ａ、７０１２Ｂと、アーム７０１２Ａ、７０１２Ｂそれぞれに設けられた鍔部７０１９と、を有するものであってもよい。なお、図１５（Ａ）乃至（Ｃ）において、実施の形態１と同様の構成については図１と同一の符号を付している。アーム７０１２Ａ、７０１２Ｂは、それぞれボール７０１３Ａ、７０１３Ｂを回転自在に支持している。ボール７０１３Ａ、７０１３Ｂは、それぞれ等方性高密度黒鉛から形成された回転楕円体面部分を含む形状（いわゆる玉子型形状）を有し、図１３（Ａ）乃至（Ｃ）と同様に、内部に平面視円形の窪み部（図示せず）を有する。図１５（Ａ）乃至（Ｃ）に示すように、ボール７０１３Ａ、７０１３Ｂの回転楕円体面部分の表面に、窪み部の中心軸、即ち、回転軸Ｊ７１３２の延長方向に延伸するいわゆる縦溝である溝７１３５が形成されている。この溝７１３５は、ボール７０１３Ａ、７０１３Ｂの表面と回転軸Ｊ７１３２との２つの交点を起点としてボール７０１３Ａ、７０１３Ｂの表面に沿って、回転軸Ｊ７１３２の延長方向に１つ以上形成されている。ボール７０１３Ａ、７０１３Ｂは、アーム７０１２Ａ、７０１２Ｂそれぞれに取り付けられた状態で、窪み部の中心軸に一致する回転軸Ｊ７１３２を中心として回転自在である。
【００３７】
ハンドル本体７０１１は、扁平な箱状であり、その中央部に細長の開口部７０１１ａが設けられている。また、ハンドル本体７０１１の側壁には、ユーザが美容装置７を使用する際に把持される把持部７０１１ｂが設けられている。また、ハンドル本体７０１１の端面には、２つの平面視矩形状の開口部７０１１ｄが設けられている。アーム７０１２Ａの一部とアーム７０１２Ｂの一部とは、ハンドル本体７０１１の内側に配置されている。そして、アーム７０１２Ａ、７０１２Ｂは、ハンドル本体７０１１の開口部７０１１ｄそれぞれに挿通された状態で、それらの一部がハンドル本体７０１１の外側に配置されている。アーム７０１２Ａ、７０１２Ｂにおけるハンドル本体７０１１の外側に配置される部分には、それぞれ、平面視で細長の楕円状の鍔部７０１９の長手方向における一端部が固定されている。鍔部７０１９の他端部は、ハンドル本体７０１１の外壁に対向する位置まで延出している。ここで、鍔部７０１９は、ハンドル本体７０１１の開口部７０１１ｄを側方から覆うように配置されている。なお、本変形例に係る美容装置７は、実施の形態１に係る美容装置２と同様に、一対のボール７０１３Ａ、７０１３Ｂを振動させる振動装置（図示せず）を備えるものであってもよい。
【００３８】
ところで、前述のように、ボール７０１３Ａ、７０１３Ｂには、１以上の溝７１３５が形成されている。これにより、一対のボール７０１３Ａ、７０１３Ｂを肌に押し付けた状態で美容装置７全体を肌表面に沿った一方向へ移動させると、一対のボール７０１３Ａ、７０１３Ｂが互いに逆向きに回転して肌（皮膚）を効率良くつまみ上げる。一方、一対のボール７０１３Ａ、７０１３Ｂを肌に押し付けた状態で美容装置７全体を肌表面に沿った逆方向へ移動させると、一対のボール７０１３Ａ、７０１３Ｂがそれぞれ逆方向へ回転して肌（皮膚）を伸ばす。そして、美容装置７全体を肌表面に沿って往復移動させると、ボール７０１３Ａ、７０１３Ｂと肌との間に生じる摩擦力に起因して肌（皮膚）の温度が３７℃程度に上昇する。特に、ボール７０１３Ａ、７０１３Ｂは、いわゆる玉子型であるため、実施の形態１で説明したボール１３Ａ、１３Ｂに比べて溝７１３５の長さが長いので、ボール１３Ａ、１３Ｂに比べて肌との間に生じる摩擦力が大きい。従って、より効率的に肌をつまみ上げたり、肌を伸ばしたりすることができる。
【００３９】
ここで、ボール７０１３Ａ、７０１３Ｂが、純度９９.９％の等方性高密度黒鉛から形成されている。この等方性高密度黒鉛は、２，８００℃以上で焼成された結晶化炭素であり熱吸収率が大きく熱伝導率も高い。そして、ボール７０１３Ａ、７０１３Ｂは、その温度が肌と同じ程度の温度（３７℃程度）に到達すると１０μｍ程度の波長の遠赤外線を放射する。この遠赤外線は、人から放射される遠赤外線と略同じ波長であるため、肌の内側に浸透すると分子共鳴作用が起こり肌の温度が上昇し肌の血行が促進される。
【００４０】
これに対して、本変形例に係るボール７０１３Ａ、７０１３Ｂは、いわゆる玉子型であるため、実施の形態１で説明したボール１３Ａ、１３Ｂに比べて、溝７１３５の長さが長く、肌との接触面積が大きい。従って、ボール７０１３Ａ、７０１３Ｂから肌へ浸透する遠赤外線の量が、実施の形態１で説明したボール１３Ａ、１３Ｂに比べて多くなるので、肌の血行が促進されやすいという利点がある。
【００４１】
本構成によれば、鍔部７０１９は、ハンドル本体７０１１の開口部７０１１ｄを側方から覆うように配置されているので、ユーザにより開口部７０１１ｄが視認されにくくなり、美容装置７の外観の意匠性を向上させることができる。また、ボール７０１３Ａ、７０１３Ｂが、回転楕円体面部分を有することにより、前述と同様に、使用時におけるボール７０１３Ａ、７０１３Ｂとユーザの肌との接触面積が増えるので、使用時において肌の押圧と摘まみ上げを効率的に行うことができる。
【００４２】
各実施の形態では、２つのボール１３Ａ、１３Ｂを備える美容装置の例について説明したが、美容装置が備えるボールの数は２つに限定されるものではなく、３つ以上のボールを備えるものであってもよい。
【００４３】
実施の形態１では、肌に接触する接触部が略球状であり表面に螺旋状の溝１３５が形成されたボール１３Ａ、１３Ｂである例について説明したが、接触部の形状はこれに限定されるものではなく、例えば溝１３５が形成されていないものであってもよい。また、接触部が、円筒状のローラであってもよい。或いは、ボール１３Ａ、１３Ｂの表面に突起が設けられていてもよい。
【００４４】
実施の形態１において、２つのボールに互いに形状の異なる溝が形成されていてもよい。例えば２つのボールの一方の表面に、螺旋状の溝、複数の円環状の溝、前述の縦溝のうちのいずれかが形成され、他方の表面には、螺旋状の溝、複数の円環状の溝、前述の縦溝のうち一方の表面に形成された溝とは異なる種類の溝が形成されたものであってもよい。また、実施の形態１において、２つのボールのうちのいずれか一方が球面部分を有する形状であり、他方が回転楕円体面部分を有する形状であってもよい。また、２つのボールについて、それらの表面に形成された溝の幅または溝の数が互いに異なるものであってよい。
【００４５】
実施の形態２では、ボール２０１３Ａ、２０１３Ｂが溝が形成されていない球面部分を有する形状である例について説明したが、ボールの形状はこれに限定されない。例えば、２つのボールの少なくとも一方が、表面に螺旋状の溝、複数の円環状の溝、前述の縦溝のうちのいずれかが形成されているものであってもよい。或いは、２つのボールの少なくとも一方が、回転楕円体面部分を有する形状であってもよい。
【００４６】
実施の形態１では、振動装置１１３Ａ、１１３Ｂを備える美容装置１の例について説明したが、これに限らず、振動装置１１３Ａ、１１３Ｂを備えない構成であってもよい。
【００４７】
実施の形態１では、電源として電池１１１を備える構成について説明したが、電源は電池に限定されるものではない。美容装置は、例えばコンセント端子に接続するプラグと、コンセント端子からプラグを介して供給される交流を直流に変換するＡＣ−ＤＣコンバータと、を有する電源回路を備える構成であってもよい。
【００４８】
各実施の形態では、ボール１３Ａ、１３Ｂ、２０１３Ａ、２０１３Ｂが等方性黒鉛のみから形成される例について説明したが、ボール１３Ａ、１３Ｂ、２０１３Ａ、２０１３Ｂの構造はこれに限定されるものではない。例えば、ボールが、等方性黒鉛からなる略球状の基材の表面に、金属、アクリル樹脂等の合成樹脂またはパールを用いて着色等がなされたボール本体と、ボール本体の表面を被覆するＤＬＣ（Diamond Like Carbon）簿膜と、を有する構成であってもよい。或いは、ボールが、上記基体の表面に金属めっき処理により金属層を形成したものであってもよい。本構成によれば、ボールの意匠性、ひいては美容装置全体の意匠性が向上するという利点がある。また、ボール本体の表面がＤＬＣ簿膜でコーティングされている場合、マッサージ時の肌への負担が軽減されるので肌荒れが抑制されるという利点もある。なお、ＤＬＣ簿膜として、ナノオーダのダイヤモンドを含む比較的電気伝導度が高いいわゆる導電性ＤＬＣを採用してもよい。この場合、ＤＬＣ簿膜は、例えばプラズマ中において加速された高エネルギのカーボンイオンをボールの基材表面に衝突させることにより形成される。或いは、ボール１３Ａ、１３Ｂ、２０１３Ａ、２０１３Ｂの表面に例えばセラミックスの粒子を含む塗料が焼き付き塗装されているものであってもよい。ここで、セラミックスの粒子の粒径は、例えば５０μｍ乃至１００μｍに設定されていてもよい。この場合、ボール１３Ａ、１３Ｂ、２０１３Ａ、２０１３Ｂの表面の状態をいわゆるつや消し状態にすることができる。ここで、ボール１３Ａ、１３Ｂの表面のつや消し状態は、いわゆる３分つや消し、５分つや消し、７分つや消しのいずれでもよい。このように、ボール１３Ａ、１３Ｂ、２０１３Ａ、２０１３Ｂの表面がつや消し状態となっていることにより、、ボール１３Ａ、１３Ｂ、２０１３Ａ、２０１３Ｂ表面の肌ざわりが良くなるという利点がある。なお、塗料に含まれる粒子は、セラミックス粒子に限定されるものではなく、例えばガラス、樹脂または焼き付け樹脂等の粒子或いは銀のような金属の粒子であってもよい。
【００４９】
各実施の形態では、ボール１３Ａ、１３Ｂ、２０１３Ａ、２０１３Ｂが等方性黒鉛から形成されている例について説明したが、これに限らず、例えばボール１３Ａ、１３Ｂ、２０１３Ａ、２０１３Ｂが炭素粉末と樹脂材料との複合材料から形成されていてもよい。この複合材料は、例えば炭素粉末を２０乃至６０重量％を含む複合材料または炭素粉末を６０乃至８０重量％含む複合材料を採用することができる。ここにおいて、複合材料に含まれる炭素粉末の平均粒径は、３μｍ乃至１０μｍ程度である。また、樹脂材料としては、例えばポリウレタン、ポリプロピレン、ポリアミド系樹脂、アクリル樹脂その他の合成樹脂が挙げられる。この場合、ボール１３Ａ、１３Ｂは、射出成形法を利用して作製することができる。また、ボール１３Ａ、１３Ｂは、例えば炭素繊維と樹脂材料との混合物を焼結させることにより得られるＣ／Ｃコンポジット（Carbon Fiber Reinforced Carbon Composite）から形成されていてもよい。或いは、ボール１３Ａ、１３Ｂが、異方性黒鉛から形成されていてもよい。
【００５０】
各実施の形態において、ボール１３Ａ、１３Ｂ、２０１３Ａ、２０１３Ｂの表面にブラスト処理が施されており、その表面に人工酵素を主成分とする消臭剤が吸着している構成であってもよい。消臭剤としては、例えば文献：特開昭５６−６３３５５号公報に記載のフタロシアニン系の消臭剤を採用することができる。また、消臭材として、オリエント化学工業株式会社製の消臭材「デオラーゼ（登録商標）」を採用してもよい。また、等方性黒鉛からなるボールの表面が、銀イオンを坦持した無機イオン交換体からなる銀系無機抗菌剤（例えば東亞合成株式会社製の銀系無機抗菌剤「ノバロン（登録商標）」）が分散された材料の膜で覆われている構成であってもよい。この銀系無機抗菌剤が分散された材料としては、アクリル樹脂やポリプロピレン樹脂等の樹脂材料を採用することができる。また、コーティング膜に含まれる銀系無機抗菌剤の割合は１％程度にしてもよい。本構成によれば、ボール表面での大腸菌やサルモネラ菌等の菌類の増殖を抑制することができるので、ボール表面を清潔な状態に維持することができるという利点がある。
【００５１】
各実施の形態では、接触部が球状のボール１３Ａ、１３Ｂ、２０１３Ａ、２０１３Ｂである例について説明したが、接触部の形状はこれに限定されない。例えば、接触部が多面体形状を有するものであってもよい。
【００５２】
以上、本発明の各実施の形態および変形例（なお書きに記載したものを含む。以下、同
様。）について説明したが、本発明はこれらに限定されるものではない。本発明は、実施
の形態及び変形例が適宜組み合わされたもの、それに適宜変更が加えられたものを含む。
【符号の説明】
【００５３】
１，２，７：美容装置、１０，２０１０，７０１０：ハンドル、１１，７０１１：ハンドル本体、１１ａ，７０１１ａ，７０１１ｄ：開口部、１１ｂ，７０１１ｂ：把持部、１２Ａ，１２Ｂ，２１２Ａ，２１２Ｂ，７０１２Ａ，７０１２Ｂ：アーム、１３Ａ，１３Ｂ，２０１３Ａ，２０１３Ｂ，３０１３，４０１３，５０１３，６０１３，７０１３Ａ，７０１３Ｂ：ボール（接触部）、１４：電源スイッチ、１５：ボール間隔調節部、１６：固定部材、１７：防振部材、１１１：電池、１１２：駆動回路基板、１１２ａ：振動装置駆動回路、１１３Ａ，１１３Ｂ：振動装置、１２２：軸部、１２３，１１３１ｂ：シャフト、１２４，１２５：ワッシャ、１３１：連結部材、１３２Ａ，１３２Ｂ，３１３２，４１３２，５１３２，６１３２：窪み部、１３３，１３４：軸受、１２３ａ，１３５，３１３５，４１３５，５１３５，６１３５，７１３５：溝、１５１ａ，１５１ｂ：ボール螺子、１５２，２０１５ａ：操作部、１５２ａ，１５２ｂ：主面、２１１：連結部、２１１ａ：固定用突出部、１１３１：モータ、１１３１ａ：モータ本体部、１１３３：偏心錘、１１３４：ケーシング、１２１１Ａ，１２１１Ｂ：ナット保持部、１２１２Ａ，１２１２Ｂ：ナット、１３１１：本体部、１３１１ａ：突条、１３１１ｂ，１３１１ｃ：凹部、１３１１ｄ：フランジ部、１３１２：連結片、２０１５：ロック部、２０１５ｂ：フック部、２０１５ｃ：傾斜面、２１２２Ａ，２１２２Ｂ：ボール連結部、２１２１Ａ：扁平部、２１２１Ｂ，２１２３Ａ：スリット、７０１９：鍔部、Ｌ１１，Ｌ１２：電力供給線
【図１】
2020075187.tif 000003
【図２】
2020075187.tif 000004
【図３】
2020075187.tif 000005
【図４】
2020075187.tif 000006
【図５】
2020075187.tif 000007
【図６】
2020075187.tif 000008
【図７】
2020075187.tif 000009
【図８】
2020075187.tif 000010
【図９】
2020075187.tif 000011
【図１０】
2020075187.tif 000012
【図１１】
2020075187.tif 000013
【図１２】
2020075187.tif 000014
【図１３】
2020075187.tif 000015
【図１４】
2020075187.tif 000016
【図１５】
2020075187.tif 000017